(57)【要約】【課題】従来の広告スタンド及び広告表示器具は、コスト面やキャッチ能力からみても効果が出ない場合があった。原因としては、ある種一方的な折衝「アプローチ」にあり、商品評価まで届かず、長期的に見ても販売促進としての実績を残せずにいた。【解決手段】広告スタンドと広告表示器具を組み立て式にし、施工面での合理性と実施面での安定性を考え、従来の広告及び広報活動についての既成概念の枠組みを広げた。実施規模に合わせた柔軟な構成とし、依頼主「クライアント」の実績を伸ばすことが予測できる。【選択図】図１
2009109960.tif 000002
【特許請求の範囲】
【請求項１】
組立式広告用資材の構造として、土台や骨組みになる資材と壁面となる合板資材の形を合わせ、ロープや針金で結合させるようにした。壁面下部の角材部分が土台の末端部分に乗っかるようにし、壁面の中心部分と骨組みとなる資材が結ばれる。また、骨組みとなる資材は中心部分で土台上部と合わさりロープで結ばれる。最後に看板部分が２体の骨組みの上部に乗り結合部分をロープや針金で結べるようにした。広告スタンドとして複数つくる事で延長でき、しかも全体の安定性が保たれ衝撃にも強い構造とした。また、付属品のカウンターと広告表示器具「エクスポージャー」類も目的別に設置できるようにし、単体パーツも安定装置「スタビライザー」の役割をするようにした。
【請求項２】
「請求項１」の複数の資材を、目的や条件に応じて組み合わせた技術モデルとして、看板部分と壁面パネル部を後付けしたカウンターデモ型、カウンターの両側面に壁面資材と単体パーツを設置した照明「ライティング」による実機展示型、エクスポージャーをブース出入り口に設置したり動線付近に装飾を加えるアプローチ型、エクスポージャー及び壁面資材を使ったスライドフォーラム型を発明した。
【請求項３】
「請求項２」記載のエクスポージャー及び壁面資材を使ったスライドフォーラム型モデルの方策として、写真と文章による情報の多角面化を発明し、公共施設などのセミナーや研修用として民間企業及び地方自治体の情報提供事業に対応できるようにした。
【発明の詳細な説明】
【技術分野】
【０００１】  本発明は、広告又は広報関連分野において、合理化を図った組立式資材とその方法に関する。
【背景技術】
【０００２】  従来の広告用資材には、キャッチ能力向上のためモニターなどで告知するものがある。（例えば、特許文献１参照。）。
また、広告セールスや広報活動においては、顧客の意識と同時化「シンクロ」しない一方的な折衝「アプローチ」や依頼主「クライアント」のマイナスイメージの増加などが懸念されていた。（例えば、非特許文献１）
【特許文献１】  特開２００６−２０１８２２
【非特許文献１】  「当社２００６年度販促及び自治体向け広報企画」
【発明の開示】
【発明が解決しようとしている課題】
【０００３】  以上に述べた従来の広告用資材及び広告や広報活動では、セールス部分ばかり伝達されたり、又は一般人の要望に応えられなかったりしており、意義あるものにならずにマイナス要素が全面的に出てしまっていた。
【０００４】  また、資材の設置だけにしても現場では予想以上に規模の大きなものになってしまったり、資材は適確だが実際は関心度が低く告知につながらなくなっていたケースが多かった。
【０００５】  本発明は、従来の技術や構成が有していた問題を解決しようとするものであり、資材と総合的な手順「プロセス」の合理化により、販売促進と文化的広報活動を明確にし広告代理業としての依頼主「クライアント」の可能性を実現することを目的とするものである。
【課題を解決するための手段】
【０００６】  本発明は、図１・図２・図３・図４・図５の資材の使用モデルをもとに、組立と分解が可能な図７・図８・図９・図１０・図１１・図１２・図１３・図１４・図１５・図１６・図１７・図１８・図１９の形にした。
【０００７】  図１５の単体パーツはスタビライザーの役割をし、単独の壁面の下部に接続できるように接触面どうしの高さと形状を合わせ、二個以上の安定化装置「スタビライザーパーツ」の上に簡易型のおもりを置き、ロープや針金で結べるようにした。通常よりも小型にした単独の壁面部を使う。
【０００８】  図１７が図１６の上部となるように材料の重さと比率を調整し、接続部を紐で結べるように図１７の木材の数を増やした。下部のおもりと最上部ワイヤーで全体を倒れぬように固定し、簡易型のシートとボード類及びパネル等を付けた形で図５の展示型資材となる。
【０００９】  図７のエクスポージャータイプは下部が固定できて、しかも重りを乗せられるようになっている。図２のようにパネルなどのアプローチ部分を取り付け使用できるようにした。
【００１０】  図１は広告スタンドとカウンターが一体化したものである。おもりを乗せた図１０の土台の両側面に図８と図１２の骨組み資材とが合わさるようし、それぞれの中心部ａどうしがロープ及び針金で結ばれる。そして、それぞれの下部ｂの上に壁面資材である図９と図１１の下部角材ｃがのるように高さを合わせた。結合部ｄと骨組み用資材図８と図１２の外枠の結合部ｄが合わさり、ロープ及び針金で結ばれるようにした。看板部は図１３のように下部接合部となるｅが二本あり、骨組み用資材図８と図１２の上部ｆの上にのり、ロープ及び針金で結ばれる。壁面資材の図９と図１１表面に壁紙等を貼り、表面に壁紙を貼ったカウンター用資材図１４を設置する。
【００１１】  ライティング展示型として、図１４のカウンターを一台若しくは二台を図３ように設置し、全体の両端に壁面となる資材を設置する。壁面となる資材については図１５の単体パーツを各二個ずつ使用する。ロープ及び針金で結合して、おもりを乗せる。
【００１２】  図４については、図１８の土台の上に図１９の上部パーツが乗り、スチレンボード類を合わせる。
【００１３】  また、図６のようにカウンターと壁面又は図７を使用して映写面をいくつか作り、スライド資料として文字及び画像を組み合わせて映写させ、一つの情報にしていくものである。可視バランスや情報の体系化を適切に考慮した。
【発明の効果】
【００１４】  本発明における、図１・図２・図３・図４・図５の資材の使用モデルについて、効率よく組立と分解ができるようにしたことにより、依頼主「クライアント」からのあらゆる要望に対応出来ようになった。また、広告効果の面においても複雑な要素を明確にし、表示「プレゼンテーション」能力を高めた。
【００１５】  スライド写真用資材図６については、資材と全体的な使用方法「プロセス」や企画「プランニング」が、セミナー及び研修用として適しており、会場の大きさや目的に合わせる事も可能である。地域レベルでの情報、もしくは自治体や民間企業の情報提供の場として発展性のあるものとなっている。マイクや音響による解説と文字及び画像のスライド資料映写により情報の効率性を高めた。
【発明を実施するための最良の形態】
【００１６】以下、本発明の実施の形態を簡単に説明する。【００１７】  広告活動と販売促進については、店舗や展示会場を利用した、商品の告知による実施の形態が望ましく、商品の販売につながるように簡易型の印刷物や商品見本を見やすく表示及び展示することが依頼主「クライアント」の実績に結びつくと考えられる。【００１８】  また、図６のスライドによる広報事業については依頼主「クライアント」の広報活動としてだけではなく、地域及び文化貢献事業としての位置づけが非常に重要で、自治体との連携により参加者の要望に合わせることが最も良いと考えられる。
【実施例】
【００１９】  図１の広告スタンドとカウンターを２台以上用意し、展示会場のブース内で使用する。【００２０】  図２のように複数の広告表示器具「エクスポージャー」を展示会場ブース出入り口付近やその他のスペースに設置し、演出効果を加える。【００２１】  図３・図４・図５を展示会場ブース内及び店舗等のスペースで使用する。【００２２】  図６を公共施設等の会議室で、関係者や一般市民向けのスライド研修及び講演会として定期的に開催する。
【図面の簡単な説明】
【００２３】
【図１】本発明に係る広告スタンドの一例を示す斜視図である。
【図２】本発明に係る広告表示器具「エクスポージャー」の一例を示す斜視図である。
【図３】本発明に係る照明による実機展示方法の一例を示す斜視図である。
【図４】本発明に係る簡易型広告物の一例を示す斜視図である。
【図５】本発明に係る展示型表示器具「モックアップ」の一例を示す斜視図である。
【図６】本発明に係るスライド上映用構成「レイアウト」の一例を示す斜視図である。
【図７】図２における骨組み用資材の斜視図である。
【図８】図１における手前側１Ａの位置の骨組み用資材を分離した状態の斜視図である。
【図９】図１における左側１Ｂの位置の壁面用資材を分離した状態の斜視図である。
【図１０】図１における土台用資材を分離した状態の斜視図である。
【図１１】図１における右側１Ｃの位置の壁面用資材を分離した状態の斜視図である。
【図１２】図１における奥１Ｄの位置の骨組用資材を分離した状態の斜視図である。
【図１３】図１における上部１Ｅの位置の看板用資材を分離した状態の斜視図である。
【図１４】図１・図３・図６におけるカウンター用資材の斜視図である。
【図１５】壁面資材用の単体パーツの斜視図である。
【図１６】図５における下部骨組みとなる資材を分離した状態の斜視図である。
【図１７】図５における上部骨組みとなる資材を分離した状態の斜視図である。
【図１８】図４における土台となる資材を分離した状態の斜視図である。
【図１９】図４における上部パーツとなる資材を分離した状態の斜視図である。
【符号の説明】
【００２４】ａ  図８・図１２の骨組み用資材と図１０の土台用資材の中心結合部
ｂ  図８・図１２の骨組み用資材及び図１０の土台用資材の下部末端部
ｃ  図９・図１１の壁面用資材の下部角材部分
ｄ  図８・図１２の骨組み用資材と図９・図１１の壁面用資材の結合部
ｅ  図１３の看板用資材の下部接合部分
ｆ  図８・図１２の骨組み用資材上部接合部分
１Ａ  図１における図８の資材の位置
１Ｂ  図１における図９の資材の位置
１Ｃ  図１における図１１の資材の位置
１Ｄ  図１における図１２の資材の位置
１Ｅ  図１における図１３の資材の位置
【図１】
2009109960.tif 000003
【図２】
2009109960.tif 000004
【図３】
2009109960.tif 000005
【図４】
2009109960.tif 000006
【図５】
2009109960.tif 000007
【図６】
2009109960.tif 000008
【図７】
2009109960.tif 000009
【図８】
2009109960.tif 000010
【図９】
2009109960.tif 000011
【図１０】
2009109960.tif 000012
【図１１】
2009109960.tif 000013
【図１２】
2009109960.tif 000014
【図１３】
2009109960.tif 000015
【図１４】
2009109960.tif 000016
【図１５】
2009109960.tif 000017
【図１６】
2009109960.tif 000018
【図１７】
2009109960.tif 000019
【図１８】
2009109960.tif 000020
【図１９】
2009109960.tif 000021